(57)【要約】      （修正有）【課題】簡易な構成で蓋部材のロックおよび装置の誤動作を防止する。【解決手段】ディスクドライブ装置は、筐体の媒体挿入口１４を開閉する蓋部材１６と、記録媒体を保持し、媒体挿入口を通して装填取出し位置と動作位置との間を移動可能に筐体に設けられた記録媒体保持体と、退避位置と駆動位置との間を移動可能に筐体に支持された媒体駆動部２２と、記録媒体保持体および媒体駆動部を移動させる移動機構５０と、を備えている。移動機構は、媒体駆動部と係合し媒体駆動部を移動させる摺動部材５８と、駆動源と、媒体駆動部が駆動位置にある際、蓋部材と係合して蓋部材を閉塞位置にロックするロック部６２と、蓋部材が開放位置に位置した状態で媒体駆動部が駆動位置に移動する際摺動部材の移動を規制する規制部と、を有している。【選択図】    図３
2007287283.tif 000002
【特許請求の範囲】
【請求項１】
媒体挿入口を有する筐体と、
媒体挿入口を閉塞する閉塞位置と媒体挿入口を開放する開放位置との間を移動可能に筐体に支持された蓋部材と、
記録媒体を保持し、媒体挿入口を通して筐体外部に突出する装填取出し位置と、筐体内の所定位置で記録媒体を駆動可能な動作位置との間を移動可能に筐体に設けられた記録媒体保持体と、
記録媒体を支持および回転するモータと、記録媒体に対して情報処理を行うヘッド部とを有し、記録媒体の装填および取り出しを許容する退避位置と、記録媒体を駆動する駆動位置との間を移動可能に筐体に支持された媒体駆動部と、
記録媒体保持体を装填取出し位置と動作位置との間で移動させるとともに、記録媒体保持体が移動する間、媒体駆動部を退避位置に移動させ、記録媒体保持体が動作位置に移動した際、媒体駆動部を駆動位置に移動させる移動機構と、を備え、
移動機構は、媒体駆動部と係合し媒体駆動部を駆動位置と退避位置との間で移動させる摺動部材と、摺動部材を移動させる駆動源と、摺動部材に設けられ媒体駆動部が駆動位置にある際、蓋部材と係合して蓋部材を閉塞位置にロックするロック部と、蓋部材が開放位置に位置した状態で媒体駆動部が駆動位置に移動する際、摺動部材の移動を規制する規制部と、を有しているディスクドライブ装置。
【請求項２】
蓋部材は、筐体の媒体挿入口と対向する蓋本体と、蓋本体から延出し筐体に移動自在に支持されたアーム部と、アーム部に形成されたストッパ部とを有し、摺動部材は、媒体駆動部を駆動位置に移動させる第１位置と、媒体駆動部を退避位置に移動させる第２位置との間を移動可能に設けられ、
ロック部は、摺動部材が第１位置に移動した際にストッパ部と係合してアーム部の移動を規制する請求項１に記載のディスクドライブ装置。
【請求項３】
蓋部材が開放位置に移動した状態において、ストッパ部は摺動部材の移動路上に位置し、摺動部材の第２位置から第１位置への移動を規制する位置に設けられている請求項２に記載のディスクドライブ装置。
【請求項４】
摺動部材の第１位置および第２位置への移動を検出する検出部と、摺動部材が第２位置から第１位置への移動を開始した後、所定時間経過後に検出部により摺動部材の第１位置への移動が検出されない場合、移動機構により摺動部材を第２位置へ戻す制御部を備えている請求項３に記載のディスクドライブ装置。
【請求項５】
摺動部材は、検出部と係合可能に設けられ摺動部材の第１位置と第２位置との間の移動に連動して検出部を切換える突起部を備えている請求項４に記載のディスクドライブ装置。
【請求項６】
筐体は移動機構を覆ったカバーを有し、カバーは、ロック部と対向して形成され筐体外部から摺動部材を媒体駆動部が退避位置に移動する位置へ押圧可能とする解除孔を有している請求項１ないし５のいずれか１項に記載のディスクドライブ装置。
【発明の詳細な説明】
【技術分野】
【０００１】
この発明は、ディスク状の記録媒体に対して情報処理を行うディスクドライブ装置に関し、特に、記録媒体の挿入口を開閉する開閉部材を備えたディスクドライブ装置に関する。
【背景技術】
【０００２】
近年、ディスク状の記録媒体として、ＤＶＤ−ＲＯＭに代表される再生専用タイプ、ＤＶＤ−Ｒに代表される１回記録タイプ、ならびにコンピュータの外付けメモリや録再ビデオに利用可能なＤＶＤ−ＲＡＭおよびＤＶＤ−ＲＷに代表される書き換え可能タイプ等の光ディスクが広く普及している。
【０００３】
光ディスクに情報を記録し、または光ディスクから情報を再生する光ディスク装置は、ディスク挿入口を有した筐体と、光ディスクを支持し、筐体に対して光ディスクを装填および排出するディスクトレイと、を備えている。筐体内には、装填された光ディスクを支持および回転させるモータおよび光ディスクに対して情報を読み出し、書き込みを行う光ピックアップ等が配設されている。
【０００４】
ディスクトレイは、ディスクを装填および取り出し可能な引出し位置と、筐体内に引き込まれディスクを駆動可能な駆動位置との間を移動可能に設けられている。ディスクトレイが駆動位置に引き込まれると、モータおよび光ピックアップが上昇してディスクをクランプする。
【０００５】
筐体には、ディスク挿入口を開閉する蓋部材が設けられている。光ディスクおよびディスクトレイを筐体内の所定位置に装填した状態において、蓋部材は、閉じられてディスク挿入口を閉塞し、ロック機構によりロックされ不用意な開放が規制される。
【特許文献１】特開２００３−２４２７０５号公報
【発明の開示】
【発明が解決しようとする課題】
【０００６】
しかしながら、従来のディスクドライブ装置では、機構的不具合が生じた場合や使用者の誤操作により、蓋部材が開いている状態で光ディスクをクランプさせることが可能であり、ディスク挿入口を通してゴミ、粉等が筐体内に侵入し誤動作の原因となり得る。また、蓋部材が開いたままの状態で光ディスクをクランプしないようにするため、蓋部材の状態を検出する機構を別途設けることが考えられるが、この場合、部品点数が増大し装置の構成が複雑になるとともに製造コスト増加の要因となり得る。
【０００７】
この発明は以上の点に鑑みなされたもので、その目的は、簡易な構成で蓋部材のロックおよび装置の誤動作を防止し、構成の簡略化および製造コストの低減を図ることが可能なディスクドライブ装置を提供することにある。
【課題を解決するための手段】
【０００８】
この発明の態様に係るディスクドライブ装置は、媒体挿入口を有する筐体と、媒体挿入口を閉塞する閉塞位置と媒体挿入口を開放する開放位置との間を移動可能に筐体に支持された蓋部材と、記録媒体を保持し、媒体挿入口を通して筐体外部に突出する装填取出し位置と、筐体内の所定位置で記録媒体を駆動可能な動作位置との間を移動可能に筐体に設けられた記録媒体保持体と、記録媒体を支持および回転するモータと、記録媒体に対して情報処理を行うヘッド部とを有し、記録媒体の装填および取り出しを許容する退避位置と、記録媒体を駆動する駆動位置との間を移動可能に筐体に支持された媒体駆動部と、記録媒体保持体を装填取出し位置と動作位置との間で移動させるとともに、記録媒体保持体が移動する間、媒体駆動部を退避位置に移動させ、記録媒体保持体が動作位置に移動した際、媒体駆動部を駆動位置に移動させる移動機構と、を備え、  
移動機構は、媒体駆動部と係合し媒体駆動部を駆動位置と退避位置との間で移動させる摺動部材と、摺動部材を移動させる駆動源と、摺動部材に設けられ媒体駆動部が駆動位置にある際、蓋部材と係合して蓋部材を閉塞位置にロックするロック部と、蓋部材が開放位置に位置した状態で媒体駆動部が駆動位置に移動する際、摺動部材の移動を規制する規制部と、を有している。
【発明の効果】
【０００９】
構成によれば、簡易な構成で蓋部材のロックおよび装置の誤動作を防止し、構成の簡略化および製造コストの低減を図ることが可能なディスクドライブ装置を提供することにある。
【発明を実施するための最良の形態】
【００１０】
以下、図面を参照しながら、この発明の実施形態に係るディスクドライブ装置について詳細に説明する。  
図１は、本実施形態に係る光ディスクドライブ装置の外観を示し、図２は、トップカバーを取り外して光ディスクドライブ装置の内部構造を示している。図３は、後述するディスクトレイを省略して光ディスクドライブの内部構造を示している。
【００１１】
図１ないし図３に示すように、光ディスクドライブ装置は矩形箱状の筐体１０を備え、この筐体は、上面が開口した矩形箱状のメインフレーム１１およびメインフレームの上面、両側面を覆って設けられたトップカバー１２を有している。メインフレーム１１の長手方向一端部には、矩形状の開口からなるディスク挿入口１４が形成されている。
【００１２】
メインフレーム１１内には、記録媒体として光ディスク８を保持し搬送するディスクトレイ２０、光ディスクを支持および回転する昇降自在なディスク駆動部２２、およびディスクトレイおよびディスク駆動を移動させる移動機構５０が設けられている。メインフレーム１１の底面には、制御部を構成する回路基板４０が実装されている。
【００１３】
記録媒体保持体として機能するディスクトレイ２０はほぼ矩形板状に形成され、その一部には、光ディスク８に対するディスク駆動部２２のアクセスを許容する窓部２１が形成されている。ディスクトレイ２０は、メインフレーム１１内の所定位置に引き込まれた図２に示す作動位置と、ディスク挿入口１４を通して筐体１０の外部に突出する図４に示す装填取出し位置との間を直線的に移動可能に支持されている。作動位置において、ディスクトレイ２０に保持された光ディスク８はディスク駆動部２２によって駆動可能であり、装填取出し位置において、ディスクトレイ２０に対して光ディスク８の装填および取出し出しが可能となる。
【００１４】
ディスク挿入口１４は、蓋部材として機能するフロントパネル１６によって開閉される。フロントパネル１６は、ディスク挿入口１４に対応した寸法を有する矩形板状のパネル本体（蓋本体）１６ａと、パネル本体の長手方向両端部からほぼ直角に延出した一対の支持アーム（アーム部）１６ｂと、を一体に備えている。支持アーム１６ｂはメインフレーム１１の側壁前端部に枢軸１６ｃの周りで回動自在に支持されている。これにより、フロントパネル１６は、ディスク挿入口を閉塞する閉塞位置とディスク挿入口を開放する開放位置との間を回動可能にメインフレーム１１に支持されている。一方の支持アーム１６ｂの延出端には、後述するカムスライダのロック部と係合可能なストッパ部１６ｄが形成されている。支持アーム１６ｂとメインフレーム１１との間にねじりばね１７が架設され、フロントパネル１６はねじりばね１７により閉塞位置に付勢されている。閉塞位置において、パネル本体１６ａはメインフレーム１１の前端縁に押し当てられている。
【００１５】
図４に示すように、ディスクトレイ２０が作動位置から装填取り出し位置に移動されると、フロントパネル１６はディスクトレイ２０に押されて閉塞位置から開放位置に回動し、ディスクトレイの底面に当接した状態で開放位置に保持される。また、ディスクトレイ２０が装填取り出し位置から作動位置に移動しメインフレーム１１内に収納されると、フロントパネル１６は、ねじりばね１７の付勢力により閉塞位置へ回動される。
【００１６】
図３、５、６に示すように、メインフレーム１１には、ほぼＵ字形状のシャーシーマウント２４が回動自在に取り付けられている。シャーシーマウント２４には、ディスク駆動部２２を支持する一対の支持ピン２５および後述する移動機構５０のスライドカムと係合する一対の係合ピン２６が設けられている。
【００１７】
ディスク駆動部２２は矩形枠状の基台２８を有している。この基台２８は、その長手方向一端部が一対の第１ダンパ３０ａによりメインフレーム１１に弾性的に支持され、長手方向他端部が一対の第２ダンパ３０ｂによりシャーシーマウント２４の支持ピン２５に支持されている。これにより、基台２８は、４つのダンパ３０ａ、３０ｂによって弾性的に支持され、ディスクトレイ２０の窓部２１と対向している。また、基台２８は、第１ダンパ３０ａを支点として、図３に示す駆動位置と図６に示す退避位置との間をシャーシーマウント２４と共に回動可能に、つまり、昇降可能に支持されている。基台２８は、駆動位置において、ディスクトレイ２０とほぼ平行に位置し、退避位置において、第２ダンパ３０ｂ側の端部がディスクトレイ２０から下方に離間して位置する。
【００１８】
基台２８において第２ダンパ３０ｂ側の端部には、駆動源としてのスピンドルモータ３２が取り付けられ、このスピンドルモータの回転軸には、光ディスク８を支持および所定の速度で回転するターンテーブル３３が固定されている。基台２８には、互いに平行に延びた一対のガイドレール３４が取り付けられている。ディスク駆動部２２は、光ディスク８に対して情報の書き込み、読み出しを行う光ピックアップ３６を備え、この光ピックアップは一対のガイドレール３４によりこれらのガイドレールに沿って移動可能に支持されている。光ディスク８からの情報の読み出しおよび情報の書き込み時、ヘッド部として機能する光ピックアップ３６は、ターンテーブル３３上に支持された光ディスクの表面と対向して位置し、ガイドレール３４に沿って光ディスクの径方向に移動される。
【００１９】
図３、５、７に示すように、ディスクトレイ２０およびディスク駆動部２２を移動させる移動機構５０は、メインフレーム１１に設けられディスクトレイ２０の下方に位置している。移動機構５０は、ローディングモータ５１、ローディングモータの回転軸に圧入されたプーリー５２、プーリーギア５４、プーリー５２とプーリーギア５４に掛け渡された駆動ベルト５３、中継ギア５５、トレイギア５６、カムスライダ５８を備えている。ローディングモータ５１の回転軸、プーリー５２、プーリーギア５４、中継ギア５５、トレイギア５６のそれぞれの回転軸は、ディスクトレイ２０の表面と直交する方向に延びている。
【００２０】
プーリーギア５４は中継ギア５５に歯合し、中継ギア５５はトレイギア５６に歯合している。トレイギア５６は、ディスクトレイ２０の裏面に形成された図示しないラックと歯合している。このラックは、ディスクトレイ２０の移動方向に沿って延びている。
【００２１】
図５ないし図７に示すように、摺動部材として機能するカムスライダ５８は、ディスクトレイ２０の移動方向Ａと直行する方向Ｂに延びた細長いスライドロッド５８ａと、スライドロッドから垂直方向下方に延出しシャーシーマウント２４と対向したカム板５８ｂとを一体に有している。カムスライダ５８は、ディスクトレイ２０の移動方向Ａと直行する移動方向Ｂに沿って移動可能にメインフレーム１１に支持されている。
【００２２】
スライドロッド５８ａの一端部には、トレイギア５６と歯合可能なラック６０が形成されている。そして、カムスライダ５８は、トレイギア５６により駆動され、ディスクトレイ２０の移動に連動して移動方向Ｂに移動される。スライドロッド５８ａの他端はピン形状のロック部６２を形成している。メインフレーム１１の側壁には、ロック部６２と対向して開口１１ａが形成されている。図３および図５に示すように、ロック部６２は、フロントパネル１６が閉塞位置に位置した状態で、開口１１ａを通ってメインフレーム１１の外面から突出し、フロントパネル１６の支持アーム１６ｂに設けられたストッパ部１６ｄと係合して支持アーム１６ｂの回動を規制する。これにより、フロントパネル１６はロック部６２によって閉塞位置にロックされる。ロック部６２の先端には係合凹所６２ａが形成されている。
【００２３】
スライドロッド５８ａの中途部には、一対の押圧突起６４ａ、６４ｂが一体に突設され、移動方向Ｂに沿って互いに所定間隔離間している。これらの押圧突起６４ａ、６４ｂは、回路基板４０上に実装されディスク駆動部３０の昇降移動を検知する検出スイッチ７０を切換える。カム板５８ｂには、それぞれ斜めに傾斜して延びた一対のカム溝６４が形成されている。これらのカム溝６４には、シャーシーマウント２４に突設された係合ピン２６がそれぞれ係合している。
【００２４】
移動機構５０のローディングモータ５１が駆動されると、プーリー５２から駆動ベルト５３を介してプーリーギア５４、中継ギア５５、トレイギア６５へと動力が伝達され、カムスライダ５８を移動方向Ｂに移動させる。カムスライダ５８の移動に伴ない、カム溝６４に沿ってシャーシーマウント２４の係合ピン２６が移動する。そして、シャーシーマウント２４は、カムスライダの動作に連動して、第１ダンパ３０ａを支点に回動し、昇降動作を行なう。これにより、ディスク駆動部２２もシャーシーマウント２４と共に昇降動作を行なう。
【００２５】
ディスクトレイ２０はトレイギア５６によって駆動され移動方向Ａに沿って移動される。ディスクトレイ２０によって装置内部に搬入された光ディスク８は、駆動位置に上昇したディスク駆動部２２のターンテーブル３３と、トップカバー１２の内面に設けられた図示しないディスククランプ部材とによって挟まれ、回転自在に保持される。
【００２６】
図８に示すように、メインフレーム１１の底面に設けられた回路基板４０は、ＣＰＵ等からなり装置全体の動作を制御する制御部６８、この制御部に接続されたイジェクトボタン６１、検出部としての検出スイッチ７０、ドライバ７２、７４等を備えている。ドライバ７２、７４はそれぞれディスク駆動部２２のスピンドルモータ３２、移動機構のローディングモータ５１を駆動する。光ピックアップ３６は制御部６８によって動作が制御される。また、光ディスクドライブ装置は、この装置が組み込まれたＤＶＤレコーダの操作部あるいはパーソナルコンピュータの操作部からの外部命令によって動作可能である。例えば、光ディスクを装填取り出しする際のディスクトレイ２０の移動は、イジェクトボタン６１に限らず、ＤＶＤレコーダあるいはパーソナルコンピュータからの外部命令によって起動される。
【００２７】
上記のように構成された光ディスクドライブ装置に対して光ディスク８を装填あるいは取出しする場合、メインフレーム１１の前面に設けられたイジェクトボタン６１を押下すると、あるいは、光ディスク取り出しの外部命令により、ローディングモータ５１が駆動され、カムスライダ５８が図３および図５に示す第１位置から図７に示す第２位置に向かって移動される。カムスライダ５８の移動に連動して、ディスク駆動部２２が駆動位置から退避位置に下降する。また、カムスライダ５８の移動により、スライドロッド５８ａのロック部６２がロック位置からメインフレーム１１の内側に引き込まれフロントパネル１６のロックを解除する。カムスライダ５８が第１位置から第２位置へ移動することにより、スライドロッド５８ａの押圧突起６４ｂは検出スイッチ７０の可動子を第１位置から第２位置へ切換える。これにより、制御部６８はディスク駆動部２２の駆動位置から退避位置へ移動を検知する。
【００２８】
ディスク駆動部２２が退避位置に移動した後、ローディングモータ５１によりディスクトレイ２０が図２に示す動作位置から図４に示す装填取出し位置に移動される。この間、フロントパネル１６は、ディスクトレイ２０に押されて閉塞位置から開放位置に回動し、ディスクトレイの底面に当接した状態で開放位置に保持される。この状態で、ディスクトレイ２０に対して光ディスク８の装填あるいは取出しが可能となる。また、フロントパネル１６が開放位置に移動することにより、ストッパ部１６ｄはメインフレーム１１の開口１１ａを塞いだ位置に移動し、カムスライダ５８に形成されたロック部６２の移動路上に位置する。これにより、ストッパ部１６ｄは、カムスライダ５８の第２位置から第１位置への移動を規制する。
【００２９】
装填取出し位置に移動したディスクトレイ２０に対して光ディスク８を載置し装填した後、光ディスク装填の外部命令が入力されると、ローディングモータ５１が反転駆動され、ディスクトレイ２０が装填取出し位置から動作位置に移動される。これにより、光ディスク８はディスクトレイ２０と共にメインフレーム１１内に引き込まれ、所定位置に保持される。また、ディスクトレイ２０が動作位置に移動されると、フロントパネル１６はなじりばね１７により付勢され開放位置から閉塞位置へ回動される。フロントパネル１６が閉塞位置へ移動することにより、フロントパネル１６の一方の支持アーム１６ｂに設けられたストッパ部１６ｄは、メインフレーム１１に形成された開口１１ａを塞いだ位置から離間し、開口１１ａを開放する。
【００３０】
ディスクトレイ２０が動作位置に移動した状態で、カムスライダ５８が第２位置から第１位置に向かって移動される。カムスライダ５８のロック部６２はメインフレーム１１の開口１１ａから突出し、フロントパネル１６の支持アーム１６ｂに設けられたストッパ部１６ｄと係合することによりフロントパネル１６を開放位置にロックする。これにより、光ディスク８の記録、再生中に使用者が手等でフロントパネル１６を開くことを防止できる。
【００３１】
カムスライダ５８の移動に連動して、ディスク駆動部２２が退避位置から駆動位置へ上昇する。これにより、ディスクトレイ２０に載置されていた光ディスク８は、ディスク駆動部２２のターンテーブル３３と、トップカバー１２の内面に設けられた図示しないディスククランプ部材とによって挟まれ、回転自在に保持される。
【００３２】
カムスライダ５８が第２位置から第１位置へ移動することにより、スライドロッド５８ａの押圧突起６４ａは検出スイッチ７０の可動子を第２位置から第１位置へ切換える。これにより、制御部６８はディスク駆動部２２の退避位置から駆動位置への移動を検知し、ディスク駆動部の書き込み、読み出し動作を許容する。この状態で、スピンドルモータ３２によってターンテーブル３３および光ディスク８を所定の速度で回転し、光ピックアップ３６により光ディスク８に対して情報の書き込みあるいは読み出しを行う。
【００３３】
一方、ディスクトレイ２０が装填取出し位置から動作位置へ移動する際、異物の挟み込みや使用者が手でフロントパネル１６を保持するなどにより、フロントパネル１６の閉塞位置への移動動作が妨げられた場合、ディスクトレイ２０は装置内部の動作位置に入り、また、カムスライダ５８がディスク駆動部２２を駆動位置へ上昇させるために移動する。しかし、図９に示すように、フロントパネル１６が閉じていない状態において、メインフレーム１１の開口１１ａは支持アーム１６ｂのストッパ部１６ｄによって塞がれている。そのため、カムスライダ５８は、そのロック部６２が支持アーム１６ｂのストッパ部１６ｄに当接し移動が妨げられ、第１位置への移動が規制される。このため光ディスクのクランプ動作が完了しない。また、カムスライダ５８が完全に第１位置まで移動しないため、検出スイッチも第２位置と第１位置との中途部に位置し、第１位置に切換えられない。制御部６８は、光ディスク装填の外部命令が入力されてから、あるいは、イジェクトボタン６１が押下されてから、所定時間経過後までに検出スイッチ７０が第１位置に切換えられない場合、ディスクドライブ装置に異常が生じたと判断し、ディスクトレイ２０を装填取出し位置へ戻すためにローディングモータ５１を逆方向に回転させ、またはその場でローディングモータを停止する。これにより、制御部６８は、フロントパネル１６が開いたままの状態で光ディスク８の再生・記録が行われることを防止する。この際、制御部６８により図示しない警告灯を点滅、あるいは、警告音を発信する構成としてもよい。
【００３４】
図１に示すように、メインフレーム１１の外側を覆ったトップカバー１２の一方の側壁１２ａにおいて、カムスライダ５８のロック部６２と対向する位置には解除孔６６が形成されている。また、前述したように、ロック部６２の延出端には、このロック部を外部から押し易くするための係合凹所６２ａが形成されている。光ディスククランプ状態において、解除孔６６にピン等を挿入してカムスライダ５８のロック部６２を押圧し、カムスライダを第１位置から第２位置へ移動させることにより、シャーシーマウント２４およびディスク駆動部２２を駆動位置から退避位置へ降下させ、手動で光ディスク８をアンクランプすることができる。そのため、何らかの異常によりローディングモータ５１の動力ではアンクランプできない場合や電源が供給されていない場合でも、光ディスク８をアンクランプさせイジェクトすることが可能となる。
【００３５】
以上のように構成された光ディスクドライブ装置によれば、ディスク駆動部を昇降させるためのカムスライダにロック部を設け、フロントパネルにストッパ部を設けることにより、別途部品を追加することなく、防塵、安全のためにフロントパネルをロックすることができる。また、フロントパネルが開いたままの状態で光ディスクの再生・記録することを防止することが出来る。更に、カムスライダのロック部を筐体の外部から押すことにより、手動で光ディスクをアンクランプすることができる。従って、簡易な構成で蓋部材のロックおよび装置の誤動作を防止し、構成の簡略化および製造コストの低減を図ることが可能なディスクドライブ装置が得られる。
【００３６】
なお、本発明は実施形態そのままに限定されるものではなく、実施段階ではその要旨を逸脱しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３７】
例えば、カムスライダのロック部はフロントパネルの支持アームに設けられたストッパ部と係合してロックする構成としたが、これに限らず、ロック部はフロントパネルの他の部分と係合する構成としてもよい。ディスク駆動部の駆動位置と退避位置との間の移動を検出する検出スイッチは、可動子を有した機械的スイッチに限らず、フォトセンサ等の他のスイッチ、センサを用いることができる。
【図面の簡単な説明】
【００３８】
【図１】図１は、この発明の実施形態に係る光ディスクドライブ装置の外観を示す斜視図。
【図２】図２は、ディスクトレイが動作位置に移動した状態において、トップカバーを取り外して光ディスクドライブ装置の内部構造を示す斜視図。
【図３】図３は、ディスクトレイを取り外した状態における光ディスクドライブ装置の内部構造を示す斜視図。
【図４】図４は、ディスクトレイが装填取出し位置に移動した状態において、トップカバーを取り外して光ディスクドライブ装置の内部構造を示す斜視図。
【図５】図５は、光ディスクドライブ装置において、フロントパネルが閉塞位置に移動した状態における移動機構、カムスライダ、マウントシャーシを示す斜視図。
【図６】図６は、カムスライダを拡大して示す斜視図。
【図７】図７は、光ディスクドライブ装置において、フロントパネルが開放位置に移動した状態における移動機構、カムスライダ、シャーシーマウント、ディスク駆動部を示す斜視図。
【図８】図８は、光ディスクドライブ装置の制御系を概略的に示すブロック図。
【図９】図９は、光ディスクドライブ装置において、フロントパネルが開放された状態でマウントシャーシが駆動位置に移動した状態を示す斜視図。
【符号の説明】
【００３９】
８…光ディスク、１０…筐体、１１…メインフレーム、１２…トップカバー、
１６…フロントパネル、１６ａ…パネル本体、１６ｂ…支持アーム、
１６ｄ…ストッパ部、２０…ディスクトレイ、２２…ディスク駆動部、
２４…シャーシーマウント、３３…スピンドルモータ、３６…光ピックアップ、
５０…移動機構、５１…ローディングモータ、５８…カムスライダ、６２…ロック部、
６４…解除孔、６４ａ、６４ｂ…押圧突起、７０…検出スイッチ
【図１】
2007287283.tif 000003
【図２】
2007287283.tif 000004
【図３】
2007287283.tif 000005
【図４】
2007287283.tif 000006
【図５】
2007287283.tif 000007
【図６】
2007287283.tif 000008
【図７】
2007287283.tif 000009
【図８】
2007287283.tif 000010
【図９】
2007287283.tif 000011